(57)【要約】【課題】収容箱本体に収容する内容物の重量が大きくなっても、内容物が収容箱本体から脱落することがない物品収容箱を提供する。【解決手段】この物品収容箱１は、ウイスキーの原酒が充填されたミニチュア瓶ＭＢを収容した状態で、ウイスキーが充填された瓶容器Ｂの首部ｎに取り付けるようになっており、プラスチックシートによって形成されたブランクシートから組み立てられている。この物品収容箱１は、ミニチュア瓶ＭＢを収容する収容箱本体２と、収容箱本体２に連設された、瓶容器Ｂの首部ｎに引っ掛ける上側掛止片２４及び下側掛止片２５とから構成されており、下側掛止片２５は収容箱本体２の胴部を形成している前面板１１の下端縁に連設されている。従って、下側掛止片２５が、収容箱本体２の下端開口部を閉塞している底フラップを下側から覆った状態で、瓶容器Ｂの首部ｎに支持されることになる。【選択図】        図１
2006256625.tif 000002
【特許請求の範囲】
【請求項１】
ボトルの首部に取り付ける物品収容箱であって、
胴部の上端開口部及び下端開口部をそれぞれ開閉可能な蓋フラップ及び底フラップを有する収容箱本体と、
前記収容箱本体の前記胴部の上縁及び下縁にそれぞれ連設された、ボトルの首部に引っ掛ける上側掛止片及び下側掛止片とを備え、
前記上側掛止片及び前記下側掛止片をボトルの首部に引っ掛けた状態では、前記下側掛止片が前記胴部の下端開口部を閉塞している前記底フラップを下側から覆うようになっていることを特徴とする物品収容箱。
【請求項２】
ボトルの首部に取り付ける物品収容箱であって、
胴部に上端開口部及び下端開口部を有する収容箱本体と、
前記収容箱本体の前記胴部の上縁及び下縁にそれぞれ連設された、ボトルの首部に引っ掛ける上側掛止片及び下側掛止片とを備え、
前記上側掛止片及び前記下側掛止片をボトルの首部に引っ掛けた状態では、前記下側掛止片が前記胴部の下端開口部を閉塞するようになっていることを特徴とする物品収容箱。
【発明の詳細な説明】
【技術分野】
【０００１】
この発明は、例えば、ミニチュアボトル等の景品を収容してボトルの首部に取り付ける物品収容箱に関する。
【背景技術】
【０００２】
例えば、瓶容器に収容されたウイスキー等のアルコール商品については、販売促進のために原酒を充填したミニチュア瓶等の景品を付ける場合があり、そういった場合は、図７に示すように、原酒の入ったミニチュア瓶等の景品をプラスチックシートによって形成された物品収容箱５０内に収容し、この物品収容箱５０を瓶容器Ｂの首ｎに掛けた状態で販売することになる。
【０００３】
ところで、こういった従来の物品収容箱５０は、図８に示すように、胴部の上端開口部及び下端開口部をそれぞれ開閉可能な蓋フラップ５３及び底フラップ５４を有する収容箱本体５１と、この収容箱本体５１に連設された、瓶容器Ｂの首部ｎに引っ掛ける、首掛け穴５５ａが形成された掛止片５５とを備えており、掛止片５５は、収容箱本体５１の胴部を形成している後面板５２の上端縁に折目線を介して連設されている。
【０００４】
【特許文献１】特開２００１−１８０６８４号公報
【発明の開示】
【発明が解決しようとする課題】
【０００５】
しかしながら、上述したように、収容箱本体５１の底フラップ５４が露出した状態になっている物品収容箱５０では、収容箱本体５１に収容する景品の重量が大きくなると、その重みで底フラップ５４が開き、景品が収容箱本体５１から脱落し易くなるといった問題がある。
【０００６】
そこで、この発明の課題は、収容箱本体に収容する内容物の重量が大きくなっても、内容物が収容箱本体から脱落することがない物品収容箱を提供することにある。
【課題を解決するための手段】
【０００７】
上記の課題を解決するため、請求項１にかかる発明は、ボトルの首部に取り付ける物品収容箱であって、胴部の上端開口部及び下端開口部をそれぞれ開閉可能な蓋フラップ及び底フラップを有する収容箱本体と、前記収容箱本体の前記胴部の上縁及び下縁にそれぞれ連設された、ボトルの首部に引っ掛ける上側掛止片及び下側掛止片とを備え、前記上側掛止片及び前記下側掛止片をボトルの首部に引っ掛けた状態では、前記下側掛止片が前記胴部の下端開口部を閉塞している前記底フラップを下側から覆うようになっていることを特徴とする物品収容箱を提供するものである。
【０００８】
また、上記の課題を解決するため、請求項２にかかる発明は、ボトルの首部に取り付ける物品収容箱であって、胴部に上端開口部及び下端開口部を有する収容箱本体と、前記収容箱本体の前記胴部の上縁及び下縁にそれぞれ連設された、ボトルの首部に引っ掛ける上側掛止片及び下側掛止片とを備え、前記上側掛止片及び前記下側掛止片をボトルの首部に引っ掛けた状態では、前記下側掛止片が前記胴部の下端開口部を閉塞するようになっていることを特徴とする物品収容箱を提供するものである。
【発明の効果】
【０００９】
以上のように、請求項１にかかる発明の物品収容箱では、上側掛止片及び下側掛止片をボトルの首部に引っ掛けた状態では、下側掛止片が胴部の下端開口部を閉塞している底フラップを下側から覆うようになっているので、収容箱本体に収容される内容物の重量が大きくなっても、底フラップが開くことがなく、内容物が収容箱本体から脱落することがない。
【００１０】
また、請求項２にかかる発明の物品収容箱では、上側掛止片及び下側掛止片をボトルの首部に引っ掛けた状態では、下側掛止片が胴部の下端開口部を閉塞するようになっているので、収容箱本体に収容される内容物の重量が大きくなっても、下端開口部が開放されることがなく、内容物が収容箱本体から脱落することがない。
【発明を実施するための最良の形態】
【００１１】
以下、実施の形態について図面を参照して説明する。図１〜図３に示すように、この物品収容箱１は、ウイスキーの販売促進用の景品である、ウイスキーの原酒が充填されたミニチュア瓶ＭＢを収容した状態で、ウイスキーが充填された瓶容器Ｂの首部ｎに取り付けるようになっており、図４に示すようなプラスチックシートによって形成されたブランクシート１０から組み立てられている。なお、ブランクシート１０を形成するためのプラスチックシートとしては、ポリエチレンテレフタレート等のポリエステルやポリプロピレン等からなる厚さ０．１〜０．８ｍｍ程度のものを使用することができる。
【００１２】
前記ブランクシート１０は、図４に示すように、前面板１１の一方の側端縁に折目線３１、３２を介して側面板１２、後面板１３が順次連設されており、前面板１１の他方の側端縁には、折目線３３、３４を介して側面板１４、接着代１５が順次連設されている。
【００１３】
前記前面板１１の上端縁には、折目線３５を介して蓋フラップ１６が連設されており、後面板１３の下端縁には、折目線３７を介して底フラップ１８が連設されている。なお、蓋フラップ１６及び底フラップ１８の先端縁には、折目線３６、３８を介して差込片１７、１９がそれぞれ連設されている。
【００１４】
前記蓋フラップ１６には、ミニチュア瓶ＭＢの首部が挿入される穴１６ａが形成されており、底フラップ１８には、舌片１８ａを切り起こすことによって、ミニチュア瓶ＭＢの底部が一部嵌り込む嵌合穴が形成されると共に、起こした舌片１８ａによって、嵌合穴に嵌り込んだミニチュア瓶ＭＢの底部が位置ずれし難いようになっている。
【００１５】
前記側面板１２、１４の上端縁（下端縁）には、折目線３９、４１（折目線４０、４２）を介して内フラップ２０、２２（内フラップ２１、２３）がそれぞれ連設されており、内フラップ２０には、蓋フラップ１６に形成された穴１６ａに挿入されるミニチュア瓶ＭＢの首部に沿うような湾曲凹部２０ａが形成されている。
【００１６】
また、後面板１３の上端縁には、折目線４３を介して、略十字状の首掛け穴２４ａが形成された上側掛止片２４が連設されており、前面板１１の下端縁には、折目線４４を介して、円形の首掛け穴２５ａが形成された下側掛止片２５が連設されている。
【００１７】
なお、上側掛止片２４には、首掛け穴２４ａにおける内側に張り出した４箇所の張出部の基端部に折目線４５がそれぞれ形成されており、下側掛止片２５には、折目線３８に略対応する位置に折目線４６が形成されていると共に、折目線４６の外側に、折目線４６との間に所定の間隔を開けて平行に折目線４７が形成されている。
【００１８】
以上のように構成されたブランクシート１０から、物品収容箱１を組み立てるには、折目線３１、３２、３３、３４で側面板１２、後面板１３、側面板１４及び接着代１５を順次折り曲げて、接着代１５を後面板１３の外面に接着することによって、収容箱本体２における角筒状の胴部を形成した後、続いて、内フラップ２０、２１、２２、２３を折目線３９、４０、４１、４２で内側に折り畳んだ状態で、底フラップ１８及び蓋フラップ１６を折目線３７、３５でそれぞれ内側に折り畳み、折目線３８、３６で折り曲げた差込片１９、１７を、前面板１１及び後面板１３の内面に沿わせるように、収容箱本体２の胴部に差込む。
【００１９】
このようにして組み立てられた物品収容箱１は、底フラップ１８に形成された舌片１８ａを起こして嵌合穴を形成すると共に、蓋フラップ１６を開いて、底フラップ１８に形成された嵌合穴に底部が一部嵌り込むように、ミニチュア瓶ＭＢを収容し、その首部を穴１６ａに通しながら、蓋フラップ１６を閉じると、図２に示すように、ミニチュア瓶ＭＢが、その頭部を突き出した状態で、収容箱本体２に斜めに収容される。このとき、起こされた舌片１８ａの存在により、嵌合穴に嵌り込んだミニチュア瓶ＭＢの底部が位置ずれし難いようになっている。
【００２０】
このようにしてミニチュア瓶ＭＢが収容された物品収容箱１は、ウイスキーが充填された瓶容器Ｂの首部ｎを首掛け穴２４ａ、２５ａに通して、上側掛止片２４及び下側掛止片２５を瓶容器Ｂの首部ｎに引っ掛けることによって、図１に示すように、瓶容器Ｂの首部ｎに取り付ける。
【００２１】
このとき、上側掛止片２４に形成された首掛け穴２４ａにおける内側に張り出した４箇所の張出部が折目線４５で上方側に折れ曲がり、その先端部が瓶容器Ｂのスクリューキャップに掛止されると共に、図１に示すように、下側掛止片２５における折目線４６、４７間が上方に立ち上がることにより、収容箱本体２の底部より高い位置で、下側掛止片２５が瓶容器Ｂの首部ｎに支持されるようになっている。
【００２２】
なお、ミニチュア瓶ＭＢを収容箱本体２に垂直に収容すると、ミニチュア瓶ＭＢの頭部が瓶容器Ｂの頭部より高くなってしまうので、この物品収容箱１では、ミニチュア瓶ＭＢの頭部が瓶容器Ｂの頭部より低くなるように、ミニチュア瓶ＭＢを収容箱本体２に斜めに収容するようになっている。
【００２３】
以上のように、この物品収容箱１では、前面板１１の下端縁に連設されている下側掛止片２５が、収容箱本体２の下端開口部を閉塞している底フラップ１８を下側から覆った状態で、瓶容器Ｂの首部ｎに支持されるので、底フラップ１８が開くことがなく、ミニチュア瓶ＭＢが収容箱本体２から脱落することがない。
【００２４】
なお、上述した実施形態では、原酒が充填されたミニチュア瓶ＭＢを収容する場合について説明したが、これに限定されるものではなく、本発明は種々の内容物を収容する場合に適用することができる。従って、蓋フラップ１６に形成された穴１６ａや底フラップ１８から切り起こされた舌片１８ａは、必ずしも、形成する必要はなく、必要に応じて適宜形成すればよい。
【００２５】
また、上述した実施形態では、上側掛止片２４が収容箱本体２の胴部を形成している後面板１３の上端縁に連設されているが、これに限定されるものではなく、蓋フラップを後面板１３の上端縁に連設すると共に、上側掛止片を前面板の上端縁に連設することも可能である。このように、上側掛止片を前面板の上端縁に連設しておくと、上側掛止片を瓶容器Ｂの首部ｎに引っ掛けた状態では、蓋フラップが上側掛止片によって覆われることになり、上側掛止片を瓶容器Ｂの首部ｎから外さないと、蓋フラップを開くことができなくなるので、店頭におけるいたずらを防止することができるという効果が得られる。
【００２６】
図５及び図６は他の実施形態を示している。この物品収容箱１Ａは、収容箱本体２Ａにおける胴部の上端開口部及び下端開口部を上側掛止片２４Ａ及び下側掛止片２５によって閉塞している点で、収容箱本体２における胴部の上端開口部及び下端開口部を蓋フラップ１６及び底フラップ１８によって閉塞している物品収容箱１とは異なっているが、それ以外の点は上述した物品収容箱１と同一構成を有しているので、同一構成要素には同一符号を付してその説明を省略し、異なる構成要素について詳細に説明する。
【００２７】
図６は、図５に示す物品収容箱１Ａを組み立てるブランクシート１０Ａを示している。同図に示すように、このブランクシート１０Ａでは、後面板１３の上端縁（下端縁）に上側掛止片（底フラップ）が連設されておらず、前面板１１の上端縁（下端縁）に、折目線３５（折目線４４）を介して、上側掛止片２４Ａ（下側掛止片２５）がそれぞれ連設されており、収容箱本体２Ａの胴部を組み立てた状態で、図５に示すように、上側掛止片２４Ａ（下側掛止片２５）を折目線３５（折目線４４）で折り曲げると、上側掛止片２４Ａ（下側掛止片２５）の基端部領域によって、収容箱本体２Ａの胴部の上端開口部（下端開口部）がそれぞれ閉塞されるようになっている。
【００２８】
また、上側掛止片２４Ａ（下側掛止片２５）には、先端側に係止部を有するロック片２４ｂ（ロック片２５ｂ）が切り起こし可能に形成されており、ロック片２４ｂ（ロック片２５ｂ）を上側掛止片２４Ａ（下側掛止片２５）から起こして、それぞれの係止部を後面板１３に形成されたスリット１３ａ（スリット１３ｂ）に差し込むことにより、それぞれの係止部がスリット１３ａ（スリット１３ｂ）の外側部分に係止され、上側掛止片２４Ａ（下側掛止片２５）による収容箱本体２Ａの胴部の上端開口部（下端開口部）の閉塞状態がロックされるようになっている。なお、この物品収容箱１Ａでは、上側掛止片２４Ａに形成された首掛け穴２４ａは円形であり、内フラップ２０も湾曲凹部を有しておらず、内フラップ２２と同様の形状を有している。
【００２９】
以上のように、この物品収容箱１Ａでは、上側掛止片２４Ａ及び下側掛止片２５をボトルの首部に引っ掛けた状態では、下側掛止片２５が収容箱本体２Ａにおける胴部の下端開口部を閉塞するようになっているので、収容箱本体２Ａに収容される内容物の重量が大きくなっても、下端開口部が開放されることがなく、内容物が収容箱本体２Ａから脱落することがない。
【００３０】
なお、この物品収容箱１Ａでは、収容箱本体２Ａの上端開口部を上側掛止片２４Ａによって閉塞するようにしているが、これに限定されるものではなく、物品収容箱１と同様に、前面板１１の上端縁に蓋フラップを連設すると共に後面板１３の上端縁に上側掛止片を連設することにより、収容箱本体２Ａの上端開口部を蓋フラップによって閉塞するようにしてもよい。
【図面の簡単な説明】
【００３１】
【図１】この発明にかかる物品収容箱の一実施形態の使用状態を示す側面図である。
【図２】同上の物品収容箱を示す斜視図である。
【図３】（ａ）は同上の物品収容箱を示す平面図、（ｂ）は同上の物品収容箱を示す底面図である。
【図４】同上の物品収容箱を形成するのに使用されるブランクシートを示す平面図である。
【図５】他の実施形態である物品収容箱を示す斜視図である。
【図６】同上の物品収容箱を形成するのに使用されるブランクシートを示す平面図である。
【図７】従来の物品収容箱の一実施形態の使用状態を示す側面図である。
【図８】同上の物品収容箱を示す斜視図である。
【符号の説明】
【００３２】
１、１Ａ  物品収容箱
２、２Ａ  収容箱本体
１０、１０Ａ  ブランクシート
１１  前面板
１２  側面板
１３  後面板
１３ａ、１３ｂ  スリット
１４  側面板
１５  接着代
１６  蓋フラップ
１６ａ  穴
１７  差込片
１８  底フラップ
１８ａ  舌片
１９  差込片
２０、２１、２２、２３  内フラップ
２０ａ  湾曲凹部
２４、２４Ａ  上側掛止片
２４ａ  首掛け穴
２４ｂ  ロック片
２５  下側掛止片
２５ａ  首掛け穴
２５ｂ  ロック片
３１〜４７  折目線
Ｂ  瓶容器
ｎ  首部
ＭＢ  ミニチュア瓶
【図１】
2006256625.tif 000003
【図２】
2006256625.tif 000004
【図３】
2006256625.tif 000005
【図４】
2006256625.tif 000006
【図５】
2006256625.tif 000007
【図６】
2006256625.tif 000008
【図７】
2006256625.tif 000009
【図８】
2006256625.tif 000010